(57)【要約】  インジケータ装置において、プリズム部材は、プリズム部材側面と、プリズム部材側面に対して傾斜されており光源からの光が入射される透過・反射面とを有している。また、隣接部材は、プリズム部材側面に隣接する隣接面を有している。光源の点灯時、光源からの光は、透過・反射面に入射されプリズム部材を透過する。光源の消灯時にプリズム部材を正面から見ると、透過・反射面での光学的な反射により隣接面が見えるようになっている。
2011042986.tif 000002
【特許請求の範囲】
【請求項１】
光源、
プリズム部材側面と、前記プリズム部材側面に対して傾斜されており前記光源からの光が入射される透過・反射面とを有し、前記光源からの光を透過するプリズム部材、及び
前記プリズム部材側面に隣接する隣接面を有する隣接部材
を備え、
前記光源の消灯時に前記プリズム部材を正面から見ると、前記透過・反射面での光学的な反射により前記隣接面が見えるようになっているインジケータ装置。
【請求項２】
前記隣接部材は、第１及び第２の隣接部材を含み、
前記プリズム部材は、前記第１及び第２の隣接部材間に配置されており、
前記隣接面は、前記第１及び第２の隣接部材の少なくともいずれか一方に設けられている請求項１記載のインジケータ装置。
【請求項３】
前記第１の隣接部材の前面と、前記第２の隣接部材の前面と、前記隣接面とが同様の材料により構成されている請求項２記載のインジケータ装置。
【請求項４】
前記第１の隣接部材の前面と、前記第２の隣接部材の前面と、前記隣接面とに同様の表面加工が施されている請求項３記載のインジケータ装置。
【請求項５】
前記第１の隣接部材は、ボタン孔を有するフェースプレートであり、
前記第２の隣接部材は、前記ボタン孔に設けられ、利用者によって操作される操作ボタンである請求項２記載のインジケータ装置。
【請求項６】
前記プリズム部材は、前記フェースプレートの背面に固定された固定部をさらに有し、
前記隣接面は、前記ボタン孔の内周面と前記操作ボタンの外周面とに設けられており、
前記透過・反射面は、前記光源の消灯時に前記ボタン孔の内周面及び前記操作ボタンの外周面を反射する第１及び第２の透過・反射面を含み、
前記第１及び第２の透過・反射面は、前記光源からの光の透過方向に沿って見たとき、互いに部分的に重なっている請求項５記載のインジケータ装置。
【請求項７】
前記プリズム部材は、前記フェースプレートの背面に固定された固定部をさらに有し、
前記透過・反射面は、前記フェースプレートの背部まで延長されている請求項５記載のインジケータ装置。
【請求項８】
前記プリズム部材の外部に露出された前面及び前記透過・反射面の少なくともいずれか一方の断面形状が円弧状に湾曲されている請求項１記載のインジケータ装置。
【請求項９】
前記隣接面に文字が付されている請求項１記載のインジケータ装置。
【請求項１０】
前記隣接面には、前記隣接部材の前面の意匠とは異なる意匠が設けられている請求項１記載のインジケータ装置。
【請求項１１】
前記光源からの光を前記プリズム部材に導く導光部材をさらに備えている請求項１記載のインジケータ装置。
【請求項１２】
前記プリズム部材の外部に露出された前面にブラスト処理が施されている請求項１記載のインジケータ装置。
【請求項１３】
前記隣接部材は、記録媒体が挿入される挿入口が設けられたフロントパネルであり、
前記プリズム部材は、前記挿入口の周囲の少なくとも一部に配置されている請求項１記載のインジケータ装置。
【請求項１４】
前記隣接部材は、キーシリンダ取付孔を有する前記フェースプレートであり、
前記プリズム部材は、前記キーシリンダ取付孔に設けられキーが挿入されるキーシリンダと前記フェースプレートとの間に配置されている請求項１記載のインジケータ装置。
【発明の詳細な説明】
【技術分野】
【０００１】
この発明は、例えばエレベータの操作パネル等に用いられるインジケータ装置に関するものである。
【背景技術】
【０００２】
従来のエレベータの操作パネルでは、ボタンの外周とフェースプレートとの間に透光性材料からなるボタン枠が設けられている。また、ボタン枠の背部には、光源が配置されている。そして、光源を点灯・消灯させることにより、ボタンの操作状態が利用者に知らされる（例えば、特許文献１参照）。【０００３】
また、従来のＶＴＲ装置のドアパネルに設けられたインジケータでは、ドアパネルとの一体感を持たせるために、光透過部材の表面にスパッタリングにより金属皮膜が付着されている（例えば、特許文献２参照）。
【先行技術文献】
【特許文献】
【０００４】
【特許文献１】特開２００２−５３２７４号公報
【特許文献２】特開平５−２７３９２８号公報
【発明の概要】
【発明が解決しようとする課題】
【０００５】
上記のような従来のエレベータの操作パネルでは、光源の点灯時にはボタン枠が照明されるが、光源の消灯時にはボタン枠自体の外観が見え、意匠性が低下する。これに対して、ボタン枠の表面に金属皮膜を形成する方法も考えられるが、その場合、製造コストが高くなってしまう。特に、エレベータの操作パネルに用いられる部品など、サイズが比較的大きい部品は、真空槽内に一度に収容できる個数が少ないため、製造効率が低くコストが高くなってしまう。また、金属皮膜を形成した場合には、手が直接触れても剥がれないように保護膜を形成する必要もある。さらに、光透過部材の表面に金属光沢を持たせるだけでは、意匠の自由度が低い。【０００６】
この発明は、上記のような課題を解決するためになされたものであり、低コストで、意匠性及び意匠の自由度を向上させることができるインジケータ装置を得ることを目的とする。
【課題を解決するための手段】
【０００７】
この発明に係るインジケータ装置は、光源、プリズム部材側面と、プリズム部材側面に対して傾斜されており光源からの光が入射される透過・反射面とを有し、光源からの光を透過するプリズム部材、及びプリズム部材側面に隣接する隣接面を有する隣接部材を備え、光源の消灯時にプリズム部材を正面から見ると、透過・反射面での光学的な反射により隣接面が見えるようになっている。
【発明の効果】
【０００８】
この発明のインジケータ装置は、光源の点灯時には、プリズム部材を光が透過してプリズム部材が光って見え、光源の消灯時には、プリズム部材に隣接面の意匠が見えるため、光源の消灯時のプリズム部材の意匠を隣接面の材料、色、模様等と同じにすることができ、低コストで、意匠性及び意匠の自由度を向上させることができる。
【図面の簡単な説明】
【０００９】
【図１】この発明の実施の形態１によるエレベータの操作パネルを示す正面図である。
【図２】図１の操作ボタンを拡大して示す正面図である。
【図３】図２のＩＩＩ−ＩＩＩ線に沿う断面図である。
【図４】図４は図３のＩＶ部の拡大断面図である。
【図５】この発明の実施の形態２によるエレベータの操作パネルの要部断面図である。
【図６】この発明の実施の形態３によるエレベータの操作パネルの要部断面図である。
【図７】この発明の実施の形態４によるエレベータの操作パネルの要部断面図である。
【図８】この発明の実施の形態５によるエレベータの操作パネルの要部断面図である。
【図９】この発明の実施の形態６によるエレベータの操作パネルの要部断面図である。
【図１０】この発明の実施の形態７によるエレベータの操作パネルの要部断面図である。
【図１１】この発明の実施の形態８によるエレベータの操作パネルの要部断面図である。
【図１２】この発明の実施の形態９によるエレベータの操作パネルの操作ボタンを示す正面図である。
【図１３】図１２のＸＩＩＩ−ＸＩＩＩ線に沿う断面図である。
【図１４】この発明の実施の形態１０によるエレベータの操作パネルの要部断面図である。
【図１５】この発明の実施の形態１１によるインジケータ装置を示す斜視図である。
【図１６】図１５の要部断面図である。
【図１７】この発明の実施の形態１２によるカードスロットインジケータ装置を示す斜視図である。
【図１８】図１７のカードスロットインジケータ装置の断面図である。
【図１９】この発明の実施の形態１３による鍵穴インジケータ装置を示す斜視図である。
【図２０】図１９の鍵穴インジケータ装置の断面図である。
【発明を実施するための形態】
【００１０】
以下、この発明を実施するための形態について、図面を参照して説明する。
実施の形態１．
図１はこの発明の実施の形態１によるインジケータ装置としてのエレベータの操作パネルを示す正面図である。図において、例えばステンレス鋼板等の金属板製のフェースプレート１には、複数の円形のボタン孔１ａが設けられている。各ボタン孔１ａ内には、利用者によって操作される操作ボタン２が設けられている。フェースプレート１の上部には、液晶ディスプレイ３が設けられている。
【００１１】
図２は図１の操作ボタン２を拡大して示す正面図、図３は図２のＩＩＩ−ＩＩＩ線に沿う断面図である。図において、フェースプレート１の背部には、ボタンユニット５が設けられている。ボタンユニット５は、ブラケット（図示せず）を介してフェースプレート１に固定されている。ボタンユニット５には、基板６が固定されている。基板６上には、複数の光源７が設けられている。光源７としては、例えばＬＥＤ等が用いられている。また、基板６上には、操作ボタン２により操作されるスイッチ部（図示せず）が設けられている。
【００１２】
操作ボタン２は、ボタンユニット５に接離する方向へ往復変位可能になっている。操作ボタン２と、ボタンユニット５と、スイッチ部とにより、押しボタンスイッチ装置が構成されている。操作ボタン２を押圧操作することにより、エレベータ制御装置（図示せず）において行先階が登録され、操作された押しボタンスイッチ装置の光源７が点灯する。
【００１３】
操作ボタン２は、プランジャ８と、プランジャ８に固定されたボタンキャップ９と、ボタンキャップ９の表面に被せられたボタンカバー１０とを有している。ボタンカバー１０は、フェースプレート１と同様の金属材料により構成されている。即ち、フェースプレート１の前面と操作ボタン２の前面とは、同様の金属材料により構成されている。
【００１４】
プランジャ８及びボタンキャップ９は、光を透過する材料、例えば透明又は乳白色の樹脂により構成されている。また、ボタンカバー１０には、階番号の形状の孔が設けられている。そして、光源７の点灯時には、このボタンカバー１０の孔を光が透過し、階番号が光って見える。
【００１５】
ボタン孔１ａの内周面と操作ボタン２の外周面との間には、リング状のプリズム部材（ボタン枠）１１が配置されている。実施の形態１において、プリズム部材１１の一側に隣接する第１の隣接部材はフェースプレート１であり、プリズム部材１１の他側に隣接する第２の隣接部材は操作ボタン２である。
【００１６】
プリズム部材１１は、透明な樹脂により構成されている。また、プリズム部材１１の背部には、周方向に互いに等間隔をおいて光源７が配置されている。さらに、プリズム部材１１の先端部は、ボタン孔１ａから若干突出している。
【００１７】
図４は図３のＩＶ部の拡大断面図である。プリズム部材１１は、内周面であるプリズム部材側面１１ａと、プリズム部材側面１１ａに対して傾斜されており、光源７からの光が入射される透過・反射面１１ｂと、フェースプレート１の背面に固定された固定部１１ｃと、操作パネル外に露出した意匠面であるプリズム部材前面１１ｄとを有している。
【００１８】
プリズム部材前面１１ｄは、フェースプレート１の前面や操作ボタン２の前面と平行である。プリズム部材側面１１ａは、プリズム部材前面１１ｄに対して直角である。固定部１１ｃは、ボタン孔１ａの周縁部に固定されている。固定部１１ｃは、プリズム部材１１の全周に連続してフランジ状に設けても一部のみに設けてもよい。
【００１９】
透過・反射面１１ｂは、その直下に配置された光源７の光軸方向に対して所定の角度（例えば４５度）で傾斜されている。光源７の点灯時には、透過・反射面１１ｂから入射された光がプリズム部材１１を透過することにより、操作ボタン２の周囲がリング状に光る。
【００２０】
プリズム部材側面１１ａは、ボタンカバー１０の外周面１０ａに隣接し対向している。即ち、プリズム部材側面１１ａに隣接する隣接面は外周面１０ａである。また、外周面１０ａは、フェースプレート１の前面及び操作ボタン２の前面と同様の金属材料により構成されている。
【００２１】
光源７の消灯時には、プリズム部材前面１１ｄには、透過・反射面１１ｂで光学的に反射された外周面１０ａが見えている。即ち、光源７の消灯時にプリズム部材１１を正面から見ると、透過・反射面１１ｂでの光学的な反射により外周面１０ａが見えるようになっている。
【００２２】
このようなエレベータの操作パネルでは、光源７の点灯時に操作ボタン２の周囲を光らせる機能を維持しつつ、光源７の消灯時にはプリズム部材１１の意匠を外周面１０ａと同じにすることができるので、簡単な構造で意匠性及び意匠の自由度を向上させることができる。
【００２３】
また、プリズム部材前面１１ｄに金属皮膜（ハーフミラーコーティング等）を形成する場合に比べ、プリズム部材１１のコストを低減することができる。さらに、金属皮膜を形成した場合には、手が直接触れても剥がれないように保護膜を形成する必要もあるが、実施の形態１のプリズム部材１１では、保護膜等を設けなくても劣化を防止することができる。
【００２４】
さらにまた、フェースプレート１の前面と、操作ボタン２の前面と、外周面１０ａとが同様の材料により構成されているので、操作パネル全体で意匠の統一感を持たせることができ、意匠性を向上させることができる。また、同様の材料で構成するだけでなく、例えば同様の表面加工（ヘアライン加工又は鏡面加工等）を施すことにより、意匠性をさらに高めることもできる。
【００２５】
実施の形態２．
次に、図５はこの発明の実施の形態２によるエレベータの操作パネルの要部断面図である。実施の形態２は、実施の形態１のプリズム部材側面１１ａと透過・反射面１１ｂとを逆に設けたものである。図において、プリズム部材（ボタン枠）１２は、外周面であるプリズム部材側面１２ａと、プリズム部材側面１２ａに対して傾斜されており、光源７からの光が入射される透過・反射面１２ｂと、フェースプレート１の背面に固定された固定部１２ｃと、操作パネル外に露出した意匠面であるプリズム部材前面１２ｄとを有している。
【００２６】
透過・反射面１２ｂは、その直下に配置された光源７の光軸方向に対して所定の角度で傾斜されている。光源７の点灯時には、透過・反射面１２ｂから入射された光がプリズム部材１２を透過することにより、操作ボタン２の周囲がリング状に光る。
【００２７】
プリズム部材側面１２ａは、ボタン孔１ａの内周面１ｂに隣接し対向している。即ち、実施の形態２において、プリズム部材側面１２ａに隣接する隣接面は内周面１ｂである。
【００２８】
光源７の消灯時には、プリズム部材前面１２ｄには、透過・反射面１２ｂで光学的に反射された内周面１ｂが見えている。即ち、光源７の消灯時にプリズム部材１２を正面から見ると、透過・反射面１２ｂでの光学的な反射により内周面１ｂが見えるようになっている。他の構成は、実施の形態１と同様である。
【００２９】
このように、光源７の消灯時にボタン孔１ａの内周面１ｂを透過・反射面１２ｂでの反射により見せるようにした場合にも、低コストで、意匠性及び意匠の自由度を向上させることができる。
【００３０】
実施の形態３．
次に、図６はこの発明の実施の形態３によるエレベータの操作パネルの要部断面図である。図において、プリズム部材（ボタン枠）１３は、内周面である第１のプリズム部材側面１３ａと、外周面である第２のプリズム部材側面１３ｂと、プリズム部材側面１３ａ，１３ｂに対して傾斜されており、光源７からの光が入射される第１及び第２の透過・反射面１３ｃ，１３ｄと、フェースプレート１の背面に固定された固定部１３ｅと、操作パネル外に露出した意匠面であるプリズム部材前面１３ｆとを有している。
【００３１】
第１及び第２の透過・反射面１３ｃ，１３ｄは、光源７からの光の透過方向に沿って見たとき、互いに部分的に重なっている。また、透過・反射面１３ｃ，１３ｄは、それらの直下に配置された光源７の光軸方向に対して所定の角度で傾斜されている。光源７の点灯時には、透過・反射面１３ｂから入射された光がプリズム部材１３を透過することにより、操作ボタン２の周囲がリング状に光る。
【００３２】
第１のプリズム部材側面１３ａは、ボタンカバー１０の外周面１０ａに隣接し対向している。第２のプリズム部材側面１３ｂは、ボタン孔１ａの内周面１ｂに隣接し対向している。即ち、実施の形態３において、隣接面は外周面１０ａ及び内周面１ｂである。
【００３３】
光源７の消灯時には、プリズム部材前面１３ｆには、透過・反射面１３ｃ，１３ｄで光学的に反射された外周面１０ａ及び内周面１ｂが見えている。即ち、光源７の消灯時にプリズム部材１３を正面から見ると、透過・反射面１３ｃ，１３ｄでの光学的な反射により外周面１０ａ及び内周面１ｂが見えるようになっている。他の構成は、実施の形態１と同様である。
【００３４】
例えば実施の形態１のプリズム部材１１では、透過・反射面１１ｂと固定部１１ｃとを繋ぐ繋ぎ部１１ｅ（図４）が光源７の消灯時に見えてしまう。これに対して、実施の形態３のプリズム部材１３では、２つの透過・反射面１３ｃ，１３ｄが部分的に重なるように配置されているため、光源７の消灯時に繋ぎ部を見えなくすることができ、意匠性をさらに向上させることができる。
【００３５】
実施の形態４．
次に、図７はこの発明の実施の形態４によるエレベータの操作パネルの要部断面図である。実施の形態４は、実施の形態３のプリズム部材側面１３ａ，１３ｂと透過・反射面１３ｃ，１３ｄとを逆に設けたものである。図において、プリズム部材（ボタン枠）１４は、外周面である第１のプリズム部材側面１４ａと、内周面である第２のプリズム部材側面１４ｂと、プリズム部材側面１４ａ，１４ｂに対して傾斜されており、光源７からの光が入射される第１及び第２の透過・反射面１４ｃ，１４ｄと、フェースプレート１の背面に固定された固定部１４ｅと、操作パネル外に露出した意匠面であるプリズム部材前面１４ｆとを有している。他の構成は、実施の形態３と同様である。
【００３６】
このような構成によっても、光源７の消灯時に繋ぎ部を見えなくすることができ、意匠性をさらに向上させることができる。
【００３７】
実施の形態５．
次に、図８はこの発明の実施の形態５によるエレベータの操作パネルの要部断面図である。実施の形態５は、実施の形態２の透過・反射面１２ｂをフェースプレート１の背部まで延長したものである。プリズム部材（ボタン枠）１５は、外周面であるプリズム部材側面１５ａと、プリズム部材側面１５ａに対して傾斜されており、光源７からの光が入射される透過・反射面１５ｂと、フェースプレート１の背面に固定された固定部１５ｃと、操作パネル外に露出した意匠面であるプリズム部材前面１５ｄとを有している。透過・反射面１５ｂは、プリズム部材１５の内周端からフェースプレート１の背部まで連続して設けられている。他の構成は、実施の形態２と同様である。
【００３８】
このように、透過・反射面１５ｂをフェースプレート１の背部まで延長することによっても、光源７の消灯時に繋ぎ部を見えなくすることができ、意匠性をさらに向上させることができる。
【００３９】
実施の形態６．
次に、図９はこの発明の実施の形態６によるエレベータの操作パネルの要部断面図である。実施の形態６は、実施の形態１のプリズム部材前面１１ｄをその断面の中央が突出するように湾曲させたものである。図において、プリズム部材（ボタン枠）１６は、内周面であるプリズム部材側面１６ａと、プリズム部材側面１６ａに対して傾斜されており、光源７からの光が入射される透過・反射面１６ｂと、フェースプレート１の背面に固定された固定部１６ｃと、操作パネル外に露出した意匠面であるプリズム部材前面１６ｄとを有している。
【００４０】
プリズム部材前面１６ｄの断面は、その中央が突出するように円弧状に湾曲している。他の構成は、実施の形態１と同様である。
【００４１】
このように、プリズム部材前面１６ｄを湾曲させることにより、光源７の消灯時には透過・反射面１６ｂの一部の領域が拡大されてプリズム部材前面１６ｄに見えることになる。このため、光源７の消灯時に繋ぎ部を見えなくすることができ、意匠性をさらに向上させることができる。
なお、実施の形態６では、プリズム部材前面１６ｄの断面を、その中央が突出するように円弧状に湾曲させたが、中央が窪むように凹状の円弧状に湾曲させてもよい。
【００４２】
実施の形態７．
次に、図１０はこの発明の実施の形態７によるエレベータの操作パネルの要部断面図である。この例では、透過・反射面１１ｂの直下に配置された光源７の光軸方向に直角な平面に対する透過・反射面１６ｂの傾斜角度θ１が、実施の形態６よりも大きくされている（例えば、θ１＞４５°）。即ち、プリズム部材前面１６ａと透過・反射面１６ｂとの間の肉厚が薄くなり、透過・反射面１６ｂとプリズム部材前面１６ａとが平行に近づく側へ、透過・反射面１６ｂの傾斜角度θ１が大きくされている。他の構成は、実施の形態６と同様である。
【００４３】
このような構成によれば、繋ぎ部の肉厚がある程度厚い場合でも、光源７の消灯時に繋ぎ部を見えなくすることができ、意匠性をさらに向上させることができる。
【００４４】
実施の形態８．
次に、図１１はこの発明の実施の形態８によるエレベータの操作パネルの要部断面図である。図において、透過・反射面１６ｂは、その断面の中央が窪むように円弧状に湾曲している。他の構成は、実施の形態６と同様である。
【００４５】
このような構成によれば、繋ぎ部の肉厚がある程度厚い場合でも、光源７の消灯時に繋ぎ部を見えなくすることができ、意匠性をさらに向上させることができる。
【００４６】
なお、プリズム部材前面１６ａや透過・反射面１６ｂの断面の曲率半径は繋ぎ部の肉厚等に応じて適宜設定される。また、プリズム部材前面１６ａや透過・反射面１６ｂの断面を湾曲させることにより、隣接面を適宜拡大又は縮小して見せることができ、これによっても意匠の自由度を向上させることができる。
【００４７】
実施の形態９．
次に、図１２はこの発明の実施の形態９によるエレベータの操作パネルの操作ボタンを示す正面図、図１３は図１２のＸＩＩＩ−ＸＩＩＩ線に沿う断面図である。実施の形態９では、矩形の操作ボタン２が用いられている。操作ボタン２のボタン孔１ａに挿入されている部分の下辺とボタン孔１ａの縁部との間には、棒状のプリズム部材１７が配置されている。プリズム部材１７は、透明な樹脂により構成されている。
【００４８】
また、プリズム部材１７は、上面であるプリズム部材側面１７ａと、プリズム部材側面１７ａに対して傾斜されており、光源７からの光が入射される透過・反射面１７ｂと、フェースプレート１の背面に固定された固定部１７ｃと、操作パネル外に露出した意匠面であるプリズム部材前面１７ｄとを有している。
【００４９】
プリズム部材前面１７ｄは、フェースプレート１の前面や操作ボタン２の前面と平行である。プリズム部材側面１７ａは、プリズム部材前面１７ｄに対して直角である。固定部１７ｃは、ボタン孔１ａの縁部に固定されている。固定部１７ｃは、プリズム部材１７の全長に連続して設けても一部のみに設けてもよい。
【００５０】
透過・反射面１７ｂは、光源７の光軸方向に対して所定の角度で傾斜されている。光源７の点灯時には、透過・反射面１１ｂから入射された光がプリズム部材１１を透過することにより、操作ボタン２の下部が光る。
【００５１】
プリズム部材側面１７ａは、ボタンカバー１０の外周面１０ａに隣接し対向している。即ち、実施の形態９において、プリズム部材側面１７ａに隣接する隣接面は外周面１０ａである。また、外周面１０ａには、印刷又は刻印等により文字が付されている。外周面１０ａに付される文字として、ここでは階床に関する情報、例えば「レストラン」と記載されている。
【００５２】
光源７の消灯時には、プリズム部材前面１７ｄには、透過・反射面１１ｂで光学的に反射された外周面１０ａが見えている。即ち、光源７の消灯時にプリズム部材１１を正面から見ると、透過・反射面１１ｂでの光学的な反射により外周面１０ａが見えるようになっている。このため、光源７の消灯時には、プリズム部材前面１７ｄに「レストラン」の文字も見えている。
【００５３】
このように、外周面１０ａに付した文字を反射させてプリズム部材前面１７ｄに表示させることにより、プリズム部材１７自体には文字を設ける必要がなくなり、光源７の点灯時の意匠性を向上させることができる。また、利用者が文字に直接触れることがないため、文字が剥がれたり薄れたりするのを防止することができ、長期に渡って意匠性を維持することができる。
【００５４】
なお、階床に関する情報として、例えばテナント名等を記載してもよい。
また、文字の代わりに、又は文字に加えて、外周面１０ａを着色したり、着色模様や加工（ヘアライン加工等）による模様を付したりしてもよく、光源７の消灯時にその色や模様を見せることができ、意匠の自由度を向上させることができる。
ここで、実施の形態１では、外周面１０ａの材料をフェースプレート１の前面及び操作ボタン２の前面と同じにすることにより、意匠の統一感を持たせたが、逆に、隣接面の材料や意匠をフェースプレート１の前面及び操作ボタン２の前面と異なるものとすることにより、操作ボタン２の視認性を高めることもできる。
【００５５】
さらに、実施の形態１〜９は、適宜組み合わせて実施してもよい。例えば、実施の形態１〜８において、隣接面に文字、色、模様等を付してもよい。即ち、隣接面に隣接部材の前面とは異なる意匠を設けてもよい。また、実施の形態９のプリズム部材前面１７ｄや透過・反射面１７ｂを湾曲させてもよい。
さらにまた、実施の形態１〜８のプリズム部材１１〜１６を操作ボタン２の外周の一部のみに設けたり、周方向に分割したりしてもよい。
また、実施の形態９のプリズム部材１７を操作ボタン２の全周に設けたり、他の辺に設けたりしてもよい。
【００５６】
実施の形態１０．
次に、図１４はこの発明の実施の形態１０によるエレベータの操作パネルの要部断面図である。この例では、プリズム部材１１の直下に光源７が設けられておらず、光源７からの光が基板６上の導光部材であるリフレクタ１８により反射されてプリズム部材１１に導かれる。他の構成は、実施の形態１と同様である。
【００５７】
このような構成により、プリズム部材１１の直下に光源７を設けなくても済み、光源７の個数を削減して安価にすることができる。
【００５８】
なお、導光部材はリフレクタ１８に限定されるものではなく、部材の内部を通して光を伝播させるものであってもよい。
また、実施の形態１０で示したような導光部材を、実施の形態２〜８の構成に適用してもよい。
【００５９】
実施の形態１１．
次に、図１５はこの発明の実施の形態１１によるインジケータ装置を示す斜視図である。図において、フェースプレート２１には、複数の矩形の孔２１ａが設けられている。各孔２１ａには、プリズム部材２２が設けられている。プリズム部材２２は、透明な樹脂により構成されている。
【００６０】
図１６は図１５の要部断面図である。フェースプレート２１の背部には、基板２３が設けられている。基板２３には、プリズム部材２２に対向する複数の光源２４が設けられている。光源２４としては、例えばＬＥＤ等が用いられている。これらの光源２４は、対応する機器の状態、例えば電源のＯＮ／ＯＦＦ状態等に応じて点灯・消灯される。
【００６１】
フェースプレート２１の裏面には、孔２１ａの縁部からフェースプレート２１の正面に対して直角に突出した平板状の突起部２１ｂが設けられている。プリズム部材２２は、突起部２１ｂに固定されている。
【００６２】
さらに、プリズム部材２２は、上面であるプリズム部材側面２２ａと、プリズム部材側面２２ａに対して傾斜されており、光源２４からの光が入射される透過・反射面２２ｂと、孔２１ａから外部に露出した意匠面であるプリズム部材前面２２ｃとを有している。プリズム部材前面２２ｃは、フェースプレート２１の前面と平行（ここでは面一）である。プリズム部材側面２２ａは、プリズム部材前面２２ｃに対して直角である。
【００６３】
透過・反射面２２ｂは、その直下に配置された光源２４の光軸方向に対して所定の角度（例えば４５度）で傾斜されている。光源２４の点灯時には、透過・反射面２２ｂから入射された光がプリズム部材２２を透過することにより、プリズム部材前面２２ｃが光る。
【００６４】
プリズム部材側面２２ａは、突起部２１ｂの下面２１ｃに隣接し接合されている。即ち、実施の形態１１において、隣接部材はフェースプレート２１であり、プリズム部材側面２２ａに隣接する隣接面は下面２１ｃである。また、下面２１ｃは、フェースプレート２１の前面と同様の金属材料により構成されている。
【００６５】
光源２４の消灯時には、プリズム部材前面２２ｃには、透過・反射面２２ｂで光学的に反射された下面２１ｃが見えている。即ち、光源２４の消灯時にプリズム部材２２を正面から見ると、透過・反射面２２ｂでの光学的な反射により下面２１ｃが見えるようになっている。
【００６６】
このようなインジケータ装置では、光源２４の点灯時にプリズム部材前面２２ｃを光らせる機能を維持しつつ、光源２４の消灯時にはプリズム部材２２の意匠を突起部２１ｂの下面２１ｃと同じにすることができるので、簡単な構造で意匠性及び意匠の自由度を向上させることができる。
【００６７】
また、プリズム部材前面２２ｃに金属皮膜（ハーフミラーコーティング等）を形成する場合に比べ、プリズム部材２２のコストを低減することができる。さらに、金属皮膜を形成した場合には、手で直接触れても剥がれないように保護膜を形成する必要もあるが、実施の形態１１のプリズム部材２２では、保護膜等を設けなくても劣化を防止することができる。
【００６８】
さらにまた、フェースプレート２１の前面と、突起部２１ｂの下面２１ｃとが同様の材料により構成されているので、インジケータ装置全体で意匠の統一感を持たせることができ、意匠性を向上させることができる。
【００６９】
なお、実施の形態１１では、正面形状が矩形のプリズム部材２２を示したが、プリズム部材２２の正面形状はこれに限定されるものではなく、例えば、円形、又は実施の形態１で示したようなリング状等であってもよい。
また、実施の形態１１に示したタイプのインジケータ装置に実施の形態３〜１０で示したような構成を組み合わせてもよい。例えば、プリズム部材前面２２ｃを円弧状に湾曲させてもよい。また、突起部２１ｂの下面２１ｃに文字、色、模様等を付してもよい。即ち、下面２１ｃにフェースプレート２１の前面とは異なる意匠を設けてもよい。
【００７０】
実施の形態１２．
次に、図１７はこの発明の実施の形態１２によるカードスロットインジケータ装置を示す斜視図である。このカードスロットインジケータ装置は、例えば、暗所でも記録媒体の挿入口を認識し易くするために、自動車内に搭載される機器（カーオーディオ等）に設けられる。図において、フロントパネル３１には、カード型又はディスク型の記録媒体が挿入される挿入口３１ａが設けられている。挿入口３１ａの周囲には、プリズム部材３２が設けられている。プリズム部材３２は、透明な樹脂により構成されている。
【００７１】
図１８は図１７のカードスロットインジケータ装置の断面図である。フロントパネル３１の背部には、基板３３が設けられている。基板３３には、プリズム部材３２に対向する複数の光源３４が設けられている。光源３４としては、例えばＬＥＤ等が用いられている。光源３４は、自動車のヘッドライトの操作に連動して、記録媒体の挿入状態に応じて、又は専用のスイッチの操作により点灯・消灯される。
【００７２】
フロントパネル３１の裏面には、フロントパネル３１の正面に対して直角に突出した筒状の突起部３１ｂが設けられている。プリズム部材３２は、突起部３１ｂの内側に固定されている。
【００７３】
プリズム部材３２は、外周面であるプリズム部材側面３２ａと、プリズム部材側面３２ａに対して傾斜されており、光源３４からの光が入射される透過・反射面３２ｂと、フロントパネル３１の前面から外部に露出した意匠面であるプリズム部材前面３２ｃとを有している。プリズム部材前面３２ｃは、フロントパネル３１の前面と平行（ここでは面一）である。プリズム部材側面３２ａは、プリズム部材前面３２ｃに対して直角である。
【００７４】
透過・反射面３２ｂは、その直下に配置された光源３４の光軸方向に対して所定の角度（例えば４５度）で傾斜されている。光源３４の点灯時には、透過・反射面３２ｂから入射された光がプリズム部材３２を透過することにより、プリズム部材前面３２ｃが光る。
【００７５】
プリズム部材側面３２ａは、突起部３１ｂの内面３１ｃに隣接し接合されている。即ち、実施の形態１２において、隣接部材はフロントパネル３１であり、プリズム部材側面３２ａに隣接する隣接面は内面３１ｃである。また、内面３１ｃは、フロントパネル３１の前面と同様の金属材料により構成されている。
【００７６】
光源３４の消灯時には、プリズム部材前面３２ｃには、透過・反射面３２ｂで光学的に反射された内面３１ｃが見えている。即ち、光源３４の消灯時にプリズム部材３２を正面から見ると、透過・反射面３２ｂでの光学的な反射により内面３１ｃが見えるようになっている。
【００７７】
このようなインジケータ装置では、光源３４の点灯時にプリズム部材前面３２ｃを光らせる機能を維持しつつ、光源３４の消灯時にはプリズム部材３２の意匠を突起部３１ｂの内面３１ｃと同じにすることができるので、簡単な構造で意匠性及び意匠の自由度を向上させることができる。
【００７８】
また、プリズム部材前面３２ｃに金属皮膜（ハーフミラーコーティング等）を形成する場合に比べ、プリズム部材３２のコストを低減することができる。さらに、金属皮膜を形成した場合には、手や記録媒体が直接触れても剥がれないように保護膜を形成する必要もあるが、実施の形態１２のプリズム部材３２では、保護膜等を設けなくても劣化を防止することができる。
【００７９】
さらにまた、フロントパネル３１の前面と、突起部３１ｂの内面３１ｃとが同様の材料により構成されているので、インジケータ装置全体で意匠の統一感を持たせることができ、意匠性を向上させることができる。
【００８０】
なお、実施の形態１２では、挿入口３１ａを囲むようにプリズム部材３２を設けたが、挿入口３１ａの周囲の一部のみ、例えば上側又は下側のみに設けてもよい。
また、挿入口３１ａの全周又は周囲の一部に、互いに間隔をおいて複数のプリズム部材を設けてもよい。
さらに、実施の形態１２に示したタイプのカードスロットインジケータ装置に実施の形態３〜１０で示したような構成を組み合わせてもよい。例えば、プリズム部材前面３２ｃを円弧状に湾曲させてもよい。また、突起部３１ｂの内面３１ｃに文字、色、模様等を付してもよい。即ち、内面３１ｃにフロントパネル３１の前面とは異なる意匠を設けてもよい。
さらにまた、実施の形態１２のカードスロットインジケータ装置は、記録媒体内の情報を読み取るリーダ装置に設けても、記録媒体に情報を記録するリーダ・ライタ装置に設けてもよい。
また、自動車に搭載された機器は単なる一例であり、この発明はあらゆる機器のカードスロットインジケータ装置に適用できる。
【００８１】
実施の形態１３．
次に、図１９はこの発明の実施の形態１３による鍵穴インジケータ装置を示す斜視図である。この鍵穴インジケータ装置は、例えば、暗所でもキーの挿入孔を認識し易くするために自動車のキー挿入部に設けられる。図において、フェースプレート４１には、円形のキーシリンダ取付孔４１ａが設けられている。キーシリンダ取付孔４１ａ内には、キーシリンダ４２が設けられている。キーシリンダ４２には、キー４３が挿入される。
【００８２】
キーシリンダ取付孔４１ａの内周面とキーシリンダ４２の外周面との間には、リング状のプリズム部材（シリンダ枠）４４が配置されている。プリズム部材４４は、透明な樹脂により構成されている。
【００８３】
図２０は図１９の鍵穴インジケータ装置の断面図である。フェースプレート４１の背部には、基板４５が設けられている。基板４５には、プリズム部材４４に対向する複数の光源４６が設けられている。光源４６としては、例えばＬＥＤ等が用いられている。光源４６は、自動車のヘッドライトの操作に連動して、キーの挿入状態に応じて、又は専用のスイッチの操作により点灯・消灯される。
【００８４】
フェースプレート４１の裏面には、フェースプレート４１の正面に対して直角に突出した筒状の突起部４１ｂが設けられている。プリズム部材４４は、突起部４１ｂの内側に固定されている。
【００８５】
プリズム部材４４は、外周面であるプリズム部材側面４４ａと、プリズム部材側面４４ａに対して傾斜されており、光源４６からの光が入射される透過・反射面４４ｂと、フェースプレート４１の前面から外部に露出した意匠面であるプリズム部材前面４４ｃとを有している。プリズム部材前面４４ｃは、フェースプレート４１の前面と平行（ここでは面一）である。プリズム部材側面４４ａは、プリズム部材前面４４ｃに対して直角である。
【００８６】
透過・反射面４４ｂは、その直下に配置された光源４６の光軸方向に対して所定の角度（例えば４５度）で傾斜されている。光源４６の点灯時には、透過・反射面４４ｂから入射された光がプリズム部材４４を透過することにより、プリズム部材前面４４ｃが光る。
【００８７】
プリズム部材側面４４ａは、突起部４１ｂの内周面４１ｃに隣接し接合されている。即ち、実施の形態１２において、隣接部材はフェースプレート４１であり、プリズム部材側面４４ａに隣接する隣接面は内周面４１ｃである。また、内周面４１ｃは、フェースプレート４１の前面と同様の金属材料により構成されている。
【００８８】
光源４６の消灯時には、プリズム部材前面４４ｃには、透過・反射面４４ｂで光学的に反射された内周面４１ｃが見えている。即ち、光源４６の消灯時にプリズム部材４４を正面から見ると、透過・反射面４４ｂでの光学的な反射により内周面４１ｃが見えるようになっている。
【００８９】
このようなインジケータ装置では、光源４６の点灯時にプリズム部材前面４４ｃを光らせる機能を維持しつつ、光源４６の消灯時にはプリズム部材４４の意匠を突起部４１ｂの内周面４１ｃと同じにすることができるので、簡単な構造で意匠性及び意匠の自由度を向上させることができる。
【００９０】
また、プリズム部材前面４４ｃに金属皮膜（ハーフミラーコーティング等）を形成する場合に比べ、プリズム部材４４のコストを低減することができる。さらに、金属皮膜を形成した場合には、手やキーが直接触れても剥がれないように保護膜を形成する必要もあるが、実施の形態１２のプリズム部材４４では、保護膜等を設けなくても劣化を防止することができる。
【００９１】
さらにまた、フェースプレート４１の前面と、突起部４１ｂの内周面４１ｃとが同様の材料により構成されているので、インジケータ装置全体で意匠の統一感を持たせることができ、意匠性を向上させることができる。
【００９２】
なお、実施の形態１３では、キーシリンダ４２を囲むようにプリズム部材４４を設けたが、キーシリンダ４２の周囲の一部のみに設けてもよい。
また、キーシリンダ４２の全周又は周囲の一部に、互いに間隔をおいて複数のプリズム部材を設けてもよい。
【００９３】
さらに、実施の形態１３に示したタイプの鍵穴インジケータ装置に実施の形態３〜１０で示したような構成を組み合わせてもよい。例えば、プリズム部材前面４４ｃを円弧状に湾曲させてもよい。また、突起部４１ｂの内周面４１ｃに文字、色、模様等を付してもよい。即ち、内周面４１ｃにフェースプレート４１の前面とは異なる意匠を設けてもよい。さらに、キーシリンダ４２側に隣接面を設けたり、フェースプレート４１とキーシリンダ４２との両方に隣接面を設けたりしてもよい。
さらにまた、自動車に搭載された鍵穴インジケータ装置は単なる一例であり、この発明はあらゆる機器や建物等の鍵穴インジケータ装置に適用できる。
【００９４】
また、実施の形態１〜１３において、プリズム部材前面にブラスト処理を施してもよい。この場合、光源の点灯時に光を均一に照射することができるとともに、光源の消灯時の意匠性を向上させることができる。
さらに、実施の形態１〜１３において、プリズム部材の材料は、樹脂に限定されるものではなく、例えばガラスであってもよい。
さらにまた、実施の形態１〜１３において、隣接部材はプリズム部材側面に接合されたフィルム又はシートであってもよい。
【００９５】
ここで、透過・反射面の傾斜角度θ１（図１０参照）は、臨界角θｃよりも大きく設定すれば、プリズム部材からの出射の際に隣接面が全反射されるので、次式のように設定するのが好適である。但し、ｎは、プリズム部材の材料固有の屈折率であり、例えば、アクリルでは約１．４９、ポリカーボネートでは約１．５８である。
θ１＞θｃ＝ｓｉｎ-1（１／ｎ）
【００９６】
プリズム部材をアクリルで構成する場合、入射角４２．２°以上で全反射され、ポリカーボネートで構成する場合、入射角３９．３°以上で全反射される。このため、透過・反射面の傾斜角度θ１は、アクリルでは４２．２°よりも大きく設定し、ポリカーボネートでは３９．３°よりも大きく設定するのが好適である。
【図１】
2011042986.tif 000003
【図２】
2011042986.tif 000004
【図３】
2011042986.tif 000005
【図４】
2011042986.tif 000006
【図５】
2011042986.tif 000007
【図６】
2011042986.tif 000008
【図７】
2011042986.tif 000009
【図８】
2011042986.tif 000010
【図９】
2011042986.tif 000011
【図１０】
2011042986.tif 000012
【図１１】
2011042986.tif 000013
【図１２】
2011042986.tif 000014
【図１３】
2011042986.tif 000015
【図１４】
2011042986.tif 000016
【図１５】
2011042986.tif 000017
【図１６】
2011042986.tif 000018
【図１７】
2011042986.tif 000019
【図１８】
2011042986.tif 000020
【図１９】
2011042986.tif 000021
【図２０】
2011042986.tif 000022
【国際調査報告】
2011042986.tif 000023
2011042986.tif 000024
2011042986.tif 000025
2011042986.tif 000026